(57)【要約】【課題】重量を増加させることなく、貯留した雨水の流出を遅延させることができ、また、貯留した雨水を利用することで灌水を節減或いは省略することができることを課題とする。【解決手段】容器１２内にマット支持部材１８、保水排水マット２０、マット植物２２を設けることで、マット支持部材１８、保水排水マット２０、マット植物２２の土壌でも水が貯留可能となる。このため、多量の降雨があった場合には、容器１２に水が多量に貯留されるので、雨水が一度に河川や下水等に流れ込んで都市型洪水を引き起こす恐れがない。また、降雨の少ない時期などのマット植物２２の土壌が乾燥しているとき、貯水部１６に貯留された水は、給水部材２４で保水排水マット２０及びマット植物２２の土壌に給水される。これにより、降雨のない時期あるいは少ない時期でも、マット植物２２に灌水を行う必要がないので、灌水手段を別途設ける必要もない。 【選択図】図１
2007167039.tif 000002
【特許請求の範囲】
【請求項１】
水を貯留する空間を有する貯水容器と、
前記貯水容器の内側に収納され植栽部が載置される保水排水層又は培土と、
前記貯水容器内に設けられ、前記保水排水層又は培土を支持して該貯水容器の底面との間に水を貯留する空間を形成する支持部材と、
前記貯水容器に貯留された水を毛細管現象で前記保水排水層又は培土へ給水する給水部材と、
前記貯水容器に貯留された水が設定水位を越えると、該貯水容器の外へ所定量排水する排水手段と、
を有することを特徴とする緑化容器。
【請求項２】
前記保水排水層又は培土と前記設定水位の間を、前記保水排水層又は培土に流れ込んだ水を一時貯留し、前記設定水位を超える水を前記貯水容器外へ排水する一時貯留層としていることを特徴とする請求項１に記載の緑化容器。
【請求項３】
前記給水部材は、一端部が前記保水排水層又は培土に接触し、他端部が前記貯水容器に貯留された水に浸されている不織布であることを特徴とする請求項１又は請求項２に記載の緑化容器。
【請求項４】
前記排水手段は、前記貯水容器の側壁に掛けられ、一端部が前記設定水位に位置し、他端部が前記貯水容器の外へ出され、前記設定水位よりも低位置に位置する不織布であることを特徴とする請求項１〜請求項３のいずれか１項に記載の緑化容器。
【請求項５】
前記排水手段は、前記貯水容器の側壁に形成され、前記設定水位の位置にある水抜孔であることを特徴とする請求項１〜請求項３のいずれか１項に記載の緑化容器。
【請求項６】
水を貯留する空間を有する貯水容器と、
前記貯水容器の上部に設けられ、植栽部が載置される保水排水層又は培土と、
前記貯水容器に貯留された水を毛細管現象で前記保水排水層又は培土へ給水する給水部材と、
前記貯水容器に貯留された水が設定水位を越えると、前記貯水容器の外へ余剰量排水する排水手段と、
を有することを特徴とする緑化容器。
【請求項７】
前記給水部材は、一端部が前記保水排水層又は培土に接触し、他端部が前記貯水容器に貯留された水に浸されている不織布であることを特徴とする請求項１又は請求項６に記載の緑化容器。
【請求項８】
前記排水手段は、前記貯水容器の側壁に掛けられ、一端部が前記設定水位に位置し、他端部が前記箱体の外へ出された不織布であることを特徴とする請求項６又は請求項７に記載の緑化容器。
【請求項９】
前記排水手段は、前記貯水容器の側壁に形成され、前記設定水位の位置にある水抜孔であることを特徴とする請求項６〜請求項８のいずれか１項に記載の緑化容器。
【請求項１０】
前記貯水容器の開口には植栽部支持層が掛け渡され、前記植栽部支持層に前記保水排水層又は培土が載置されていることを特徴とする請求項８又は請求項９に記載の緑化容器。
【請求項１１】
前記貯水容器の側壁には、前記保水排水層又は培土が載置される植栽部支持層が掛け渡される段部が形成されていることを特徴とする請求項８又は請求項９に記載の緑化容器。
【請求項１２】
前記貯水容器の側壁の内側には、前記植栽部の上面へ流れる水を該貯水容器内へ誘導する誘導部が配設されていることを特徴とする請求項１０又は請求項１１に記載の緑化容器。
【発明の詳細な説明】
【技術分野】
【０００１】
本発明は、植物が植栽される緑化容器に関する。
【背景技術】
【０００２】
都市化が進む地域では、道路や家屋周辺がコンクリートで舗装される、いわゆるコンクリート化が進んでいる。このため、地盤の保水性が悪く、雨水が下水道管に一度に流れ込んでオーバーフローしたり、大量の雨水が河川へ流れ込んで都市河川が氾濫するなどの、都市型洪水が頻繁に発生している。
【０００３】
この都市型洪水を防止する方法の一つとして、建物の屋上や人工地盤上などに土壌を敷き、この土壌に芝生、樹木、草花等を植栽することで、屋上や人工地盤を緑化すると同時に、土壌に雨水を含浸させて、雨水の流出を抑制する対策が行われている。しかし、土壌の貯水量にも限界があり、多量の降雨に対応させるために土壌厚を厚くして貯水性を向上させようとすると土壌の荷重が増大して、建物や構造物が耐えうる許容荷重を超えてしまう場合がある。また、許容荷重を考慮して土壌厚を薄くすると、雨水の貯水能力が十分に得られない。
【０００４】
そこで、樹木、草花等が植栽された植栽部からの余剰水を一時的に受け入れる一時貯留部を設け、この一時貯留部に貯留された水を外部へ徐々に排水することで、雨水流出量を抑制することが可能な緑化設備が提案されている（特許文献１参照）。この緑化設備は、植栽部の余剰水を一時貯留部へ流入させ、この一時的に貯留した余剰水を一時貯留部に設けた流出部（孔）から外部へ流出する構成となっており、流出部から流出する単位時間当たりの水分量を少なくすることで、雨水の流出が抑制される。
【０００５】
しかし、特許文献１の構成では、雨水は一時的に貯留されるだけであり、長期間貯留されるものではない。このため、降雨量の少ない時期や、長期に渡って降雨のない場合には灌水する必要があり、灌水設備を設けたり人為的に灌水作業を行わなければならない。
【０００６】
また、樹木、草花等を植栽する地盤の下に、所定の間隔を置いて多孔質礫状材が充填された貯水槽を設け、所定量以上の雨水が降った場合に、余剰分の雨水をこの貯水槽に貯水しておき、必要に応じて貯水槽の水を多孔質礫状材の間隙により生じる毛管力により上昇させて地盤に供給すると共に、貯水槽の水位が地盤の下端面よりも上昇したときには、貯水槽の間から徐々に排出させるものがある（特許文献２参照）。
【０００７】
特許文献２では、貯水槽内に多孔質礫状材が充填されていることから、貯水槽の外観に比して貯水空間は殆どない、或いはきわめて少ない。このため、十分な貯水空間を確保するためには貯水槽の厚さを大きくする必要があり、厚みの増大に伴って重量も重くなってしまう。
【特許文献１】特開２００２−２４７９１４号公報
【特許文献２】特開平６−３１９３７８号公報
【発明の開示】
【発明が解決しようとする課題】
【０００８】
本発明は上記事実を考慮し、重量を増加させることなく、貯留した雨水の流出を遅延させることができ、また、貯留した雨水を利用することで灌水を節減或いは省略することができる緑化容器を提供する。
【課題を解決するための手段】
【０００９】
請求項１に記載の発明は、水を貯留する空間を有する貯水容器と、前記貯水容器の内側に収納され植栽部が載置される保水排水層又は培土と、前記貯水容器内に設けられ、前記保水排水層又は培土を支持して該貯水容器の底面との間に水を貯留する空間を形成する支持部材と、前記貯水容器に貯留された水を毛細管現象で前記保水排水層又は培土へ給水する給水部材と、前記貯水容器に貯留された水が設定水位を越えると、該貯水容器の外へ所定量排水する排水手段と、を有することを特徴としている。
【００１０】
請求項１に記載の発明によれば、貯水容器の内側に、植栽部が載置される保水排水層又は培土が支持部材によって支持されて、貯水容器の底面と保水排水層又は培土の間に水が貯留される空間が形成されている。そして、貯水容器に水が貯留されると、給水部材の毛細管現象によって上昇して保水排水層又は培土に給水される。また、貯水容器の空間に貯留された水が設定水位を超えると、排水手段によって貯水容器の外へ所定量排水される。
【００１１】
このように、保水排水層又は培土の部分でも水が貯留できる構成となっているため、多量の降雨があった場合でも水が多量に貯留され、雨水が一度に河川や下水等に流れ込んで都市型洪水を引き起こす恐れがない。
【００１２】
また、貯水容器内に流れ込んだ水は、貯水容器の底面と保水排水層又は培土の間の空間に長期的に貯留される。そして、この空間に貯留された水は、保水排水層又は培土が乾燥すると、給水部材の毛細管現象によって保水排水層又は培土へ給水され、保水排水層又は培土に載置された植栽部に給水が行われる。したがって、降雨のない時期でも植栽部に灌水を行う必要がないため、灌水手段を別途設ける必要もない。
【００１３】
また、毛細管現象によって保水排水層又は培土に給水する構成とすることで、保水排水層又は培土（保水排水層又は培土に載置された植栽部）の乾湿状態に応じて、貯水容器に貯留されている水が給水されるので、保水排水層又は培土への給水量をコントロールすることができる。
【００１４】
さらに、従来のように、貯水容器に多孔質礫状材等を充填して毛細管現象を起こす必要がないため軽量化できる。
【００１５】
なお、設定の水位は、緑化容器が載置される建物等の許容荷重や、植栽部の生育に必要な水量から決定される。
【００１６】
請求項２に記載の発明は、前記保水排水層又は培土と前記設定水位の間を、前記保水排水層又は培土に流れ込んだ水を一時貯留し、前記設定水位を超える水を前記貯水容器外へ排水する一時貯留層としていることを特徴としている。
【００１７】
請求項２に記載の発明によれば、保水排水層又は培土に流れ込んだ水のうち、設定水位を超える分は一時貯留層で一端貯留してから貯水容器の外に排水される。つまり、一時貯留層に一時的に貯留されることで、雨水の流出量を抑えることができる。
【００１８】
請求項３に記載の発明は、前記給水部材は、一端部が前記保水排水層又は培土に接触し、他端部が前記貯水容器に貯留された水に浸されている不織布であることを特徴としている。
【００１９】
請求項３に記載の発明によれば、給水部材は不織布からなり、一端部が保水排水層又は培土の上面と接触して、他端部が貯水容器に貯留された水に浸されている。このように、給水部材として不織布を用いることで、吸い上げた水に含まれた土壌で目詰まりを起こすことがない。
【００２０】
請求項４に記載の発明は、前記排水手段は、前記貯水容器の側壁に掛けられ、一端部が前記設定水位に位置し、他端部が前記貯水容器の外へ出され、前記設定水位よりも低位置に位置する不織布であることを特徴としている。
【００２１】
請求項４に記載の発明によれば、排水手段は貯水容器の側壁に掛けられた不織布からなり、一端部が設定水位に位置して、他端部が貯水容器の外へ出されている。これにより、不織布の種類や幅を変えるだけで時間当たりの排水量をコントロールすることができる。
【００２２】
請求項５に記載の発明は、前記排水手段は、前記貯水容器の側壁に形成され、前記設定水位の位置にある水抜孔であることを特徴としている。
【００２３】
請求項５に記載の発明によれば、貯水容器に貯留された水が設定水位を超えると、この余剰分の水は、貯水容器の側壁の設定水位の位置に形成された水抜孔から貯水容器の外側へ排水される。この水抜孔の径や数を調整することで、貯水容器に貯留された水の排水速度をコントロールすることができる。
【００２４】
また、貯水容器の余剰分の水を排水するために、他の部材を必要としないので、部材点数が少なくて済む。
【００２５】
請求項６に記載の発明は、水を貯留する空間を有する貯水容器と、前記貯水容器の上部に設けられ、植栽部が載置される保水排水層又は培土と、前記貯水容器に貯留された水を毛細管現象で前記保水排水層又は培土へ給水する給水部材と、前記貯水容器に貯留された水が設定水位を越えると、前記貯水容器の外へ余剰量排水する排水手段と、を有することを特徴としている。
【００２６】
請求項６に記載の発明によれば、貯水容器には水が貯留される空間が設けられており、この貯水容器の上部には、植栽部が載置される保水排水層又は培土が設けられている。そして、貯水容器に貯留された水は、給水部材の毛細管現象によって上昇して保水排水層又は培土に給水される。また、貯水容器に貯留された水が設定水位を超えると、余剰量の水が排水手段によって貯水容器の外へ排水される。
【００２７】
これにより、植栽部と保水排水層又は培土の貯水能力を超えた水は貯水容器に流れ込み、貯水容器の水位が設定水位以下であれば、設定水位までの分が貯水容器内に長期的に貯留される。また、貯水容器の水位が設定水位であれば、貯水容器に流れ込んだ分は、排水手段で所定の速度で徐々に排水される。このように、貯水容器によって水が貯留されるようになっているため、多量の降雨があった場合でも、雨水が一度に河川や下水等に流れ込んで都市型洪水を引き起こす恐れがない。
【００２８】
請求項７に記載の発明は、前記給水部材は、一端部が前記保水排水層又は培土に接触し、他端部が前記貯水容器に貯留された水に浸されている不織布であることを特徴としている。
【００２９】
請求項７に記載の発明によれば、給水部材は不織布からなり、一端が保水排水層又は培土に接触して、他端が貯水容器に貯留された水に浸されている。このように、給水部材として不織布を用いることで、吸い上げた水に含まれた土壌で目詰まりを起こすことがない。
【００３０】
請求項８に記載の発明は、前記排水手段は、前記貯水容器の側壁に掛けられ、一端部が前記設定水位に位置し、他端部が前記箱体の外へ出された不織布であることを特徴としている。
【００３１】
請求項８に記載の発明によれば、排水手段は箱体の側壁に掛けられた不織布からなり、一端部が設定水位に位置して、他端部が箱体の外へ出されている。これにより、不織布の種類や幅を変えるだけで時間当たりの排水量をコントロールすることができる。また、排水手段として不織布を用いることで、吸い上げた水に含まれた土壌で目詰まりを起こすことがない。
【００３２】
請求項９に記載の発明は、前記排水手段は、前記貯水容器の側壁に形成され、前記設定水位の位置にある水抜孔であることを特徴としている。
【００３３】
請求項９に記載の発明によれば、貯水容器に貯留された水が設定水位を超えると、この余剰分の水は、貯水容器の側壁の設定水位の位置に形成された水抜孔から貯水容器の外側へ排水される。この水抜孔の径や数を調整することで、貯水容器に貯留された水の排水速度をコントロールすることができる。
【００３４】
また、箱体の余剰分の水を排水するために、他の部材を必要としないので、部材点数が少なくて済む。
【００３５】
請求項１０に記載の発明は、前記貯水容器の開口には植栽部支持層が掛け渡され、前記植栽部支持層に前記保水排水層又は培土が載置されていることを特徴としている。
【００３６】
請求項１０に記載の発明によれば、貯水容器の開口に植栽部支持層を掛け渡すことで、水の浸透によって保水排水層又は培土の重量が重くなっても、保水排水層又は培土は植栽部支持層によって支持されるので、開口へ落ちない。
【００３７】
請求項１１に記載の発明は、前記貯水容器の側壁には、前記保水排水層又は培土が載置される植栽部支持層が掛け渡される段部が形成されていることを特徴としている。
【００３８】
請求項１１に記載の発明によれば、貯水容器の側壁に形成された段部には、保水排水層又は培土が載置される植栽部支持層が掛け渡される。これにより、水の浸透によって保水排水層又は培土の重量が重くなっても、保水排水層又は培土は植栽部支持層によって貯水容器の側壁に支持されるので、貯水容器の底部に向かって落ちることがない。
【００３９】
請求項１２に記載の発明は、前記貯水容器の側壁の内側には、前記植栽部の上面へ流れる水を該貯水容器内へ誘導する誘導部が配設されていることを特徴としている。
【００４０】
請求項１２に記載の発明によれば、貯水容器の側壁の内側に設けられた誘導部によって、植栽部の上面へ流れる水が、貯水容器内へ誘導される。これにより、時間当たりの降雨が多くて、雨水が植栽部に浸透しきれないときでも、誘導部によって水が貯水容器内に流れ込むので、雨水が一度に河川や下水等に流れ込んでしまう恐れがない。
【発明の効果】
【００４１】
本発明は上記構成としたので、重量を増加させることなく、貯留した雨水の流出を遅延させることができ、また、貯留した雨水を利用することで灌水を節減或いは省略することができる。
【発明を実施するための最良の形態】
【００４２】
次に、本発明の第１の実施形態に係る緑化容器１０について説明する。
【００４３】
図１及び図２に示すように、緑化容器１０は、上面が開口した略直方体状の容器１２を有しており、容器１２の底面１２Ａには、円筒状の支持部材１４が配置されている。
【００４４】
支持部材１４の上には、容器１２の底面１２Ａよりも若干小さいサイズの略矩形状の植栽基盤支持部材１８が載置されている。つまり、植栽基盤支持部材１８は、容器１２の底面１２Ａから所定の距離離間した状態で、支持部材１４によって容器１２内部に支持された状態で配設されている。これにより、容器１２内の空間が、貯水層としての植栽基盤支持部材１８によって二分され、底面１２Ａと植栽基盤支持部材１８との間に貯水部１６が形成されている。
【００４５】
このように、植栽基盤支持部材１８を支持部材１４によって容器１２内部に支持する構成とすることで、植栽基盤支持部材１８を支持するための受け部を容器１２の側壁１２Ｂに設けなくてもよく、構造が簡易となる。
【００４６】
植栽基盤支持部材１８の上面は、透水性のある板状資材で構成されている。これにより、植栽基盤支持部材１８上に載置された後述する保水排水マット２０又は培土から排水された水が、植栽基盤支持部材１８の上面及び植栽基盤支持部材１８と容器１２の側壁１２Ｂの間から貯水部１６に流れ込んで、貯留されるようになっている。
【００４７】
なお、本実施形態では、容器１２の底面１２Ａの略中央に１本の支持部材１４を配置する構成としたが、複数の支持部材を配置して植栽基盤支持部材１８を複数箇所で支持する構成としてもよい。
【００４８】
また、円筒状の支持部材１４で植栽基盤支持部材１８を容器１２内部に支持する構成としたが、支持部材１４としては円筒状に限定されるものではなく、例えば断面形状が矩形状とされた筒や、筒に限らず円柱状や角柱状の部材で植栽基盤支持部材１８を容器１２内部に支持してもよい。
【００４９】
植栽基盤支持部材１８上には、植栽基盤支持部材１８とほぼ同サイズの保水排水マット２０が載置されている。つまり、保水排水マット２０は、植栽基盤支持部材１８によって容器１２内に支持されている。保水排水マット２０は排水層及び保水層が積層されて形成されており、保水機能を有すると同時に排水機能を有している。これにより、保水排水マット２０に給水された水は、一部が保水排水マット２０の保水層で保水され、一部（保水層で保水しきれなかった分）が排水層を介して排水され、植栽基盤支持部材１８に送水されるようになっている。
【００５０】
また、保水排水マット２０の角部には、孔２３が形成されており、保水排水マット２０に流れ込んだ水は、保水排水マット２０の保水層に保水されると同時に、孔２３及び保水排水マット２０と容器１２の側壁１２Ｂの間から、植栽基盤支持部材１８に流れ込むようになっている。
【００５１】
なお、本実施形態では、保水排水マット２０の角部に孔２３を設けて、この孔２３から植栽基盤支持部材１８に水を流す構成としたが、保水排水マット２０と容器１２の側壁１２Ｂの間には隙間が設けられており、この隙間から植栽基盤支持部材１８に水が流れ込むようになっているので、必ずしも保水排水マット２０に孔２３を形成する必要はない。
【００５２】
保水排水マット２０上には、植物２２が載置されている。植物２２は、芝類、バーベナなどの草花類、ハイビャクシン、ツルマサキなどの低木類などが土壌に植栽されてマット状とされて形成されている。本実施形態では、保水排水マット２０の４分の１のサイズの植物２２を、保水排水マット２０上に４枚敷設している。なお、植物２２を敷設する形態は上記形態に限定されるものではなく、保水排水マット２０とほぼ同サイズの植物を１枚敷設してもよく、また、本実施形態の植物２２よりも更に小さいサイズの植物を複数枚敷設してもよい。
【００５３】
一方、保水排水マット２０と植物２２の間には、給水部材２４が設けられている。給水部材２４は長尺状の不織布で構成されており、略中央部が保水排水マット２０の上面に掛け渡され、両端部が保水排水マット２０の側面に沿って下方に垂下して、貯水部１６内に位置している。
【００５４】
これにより、給水部材２４の両端部は、貯水部１６に貯留されている水に浸されていて、毛細管現象で給水部材２４全体に水が行き渡る。そして、給水部材２４の略中央部で、保水排水マット２０及び植物２２の土壌に給水されるようになっている。
【００５５】
給水部材２４の両端部は、容器１２の底面１２Ａ近傍に位置している。これにより、貯水部１６内の水の水位が低くなっても、給水部材２４で貯水部１６内の水が吸水される。また、給水部材２４として不織布を用いることで、保水排水マット２０の乾湿状態に応じて、保水排水マット２０へ給水する際の給水量をコントロールすることができる。
【００５６】
なお、本実施形態では、給水部材２４の両側の端部を貯水部１６内に位置させる構成としたが、一方の端部のみを貯水部１６内に位置させていれば、毛細管現象によって給水部材２４全体に水を行き渡らせることができる。
【００５７】
一方、容器１２の側壁１２Ｂには排水部材２６が設けられている。排水部材２６は帯状の不織布からなり、一方の端部が側壁１２Ｂの内側の植栽基盤支持部材１８の下面近傍に位置し、他方の端部が容器１２の側壁１２Ｂの外側の地面近傍に位置するようにして、容器１２の側壁１２Ｂに掛け渡されている。
【００５８】
これにより、貯水部１６に貯留された水の水位が植栽基盤支持部材１８の下面近傍まで上昇して、排水部材２６の一方の端部に到達すると、貯水部１６内の水は、排水部材２６の毛細管現象によって容器１２の側壁１２Ｂの内側に沿って吸い上げられる。そして、側壁１２Ｂの上端部に到達した水は、側壁１２Ｂの外側に垂下させた排水部材２６によって、排水部材２６の他方の端部から容器１２の外側（地面）に排水されるようになっている。このように、排水部材２６を不織布で構成することで、幅のサイズを変更するだけで容器１２内の水を容器１２の外側へ排水する排水速度をコントロールすることができる。
【００５９】
次に、緑化容器１０の製造方法について説明する。
【００６０】
図２（Ａ）に示すように、容器１２の底面１２Ａの略中央部分に支持部材１４を配置する。この支持部材１４の上に、図２（Ｂ）に示すように、植栽基盤支持部材１８を配置する。なお、本実施形態では、容器１２は、底面１２Ａが５００ｍｍ角の正方形状のものを用いている。
【００６１】
次に、図２（Ｃ）に示すように、長尺状の不織布からなる給水部材２４を、保水排水マット２０に掛け渡す。そして、図２（Ｄ）に示すように、この保水排水マット２０を植栽基盤支持部材１８上に配置する。このとき、保水排水マット２０に掛け渡した給水部材２４は、保水排水マット２０及び植栽基盤支持部材１８の側壁１２Ｂと容器１２の側壁１２Ｂの間に挟まれ、その両端部は容器１２の底面１２Ａに接触している。
【００６２】
そして、図２（Ｅ）に示すように、保水排水マット２０上に、４枚の植物２２を載置すると共に、容器１２の側壁１２Ｂに、帯状の不織布からなる排水部材２６を掛け渡す。排水部材２６の一方の端部は、植栽基盤支持部材１８の底面と同一高さに位置させ、他方の端部は容器１２の外側の地面に接触させる。
【００６３】
以上の工程で製造された緑化容器１０を、例えば建物の屋上等に複数個配設することで、屋上の緑化が行われる。
【００６４】
次に、本発明の第１の実施形態の作用について説明する。
【００６５】
緑化容器１０を構成する容器１２内には、植栽基盤支持部材１８及び支持部材１４によって保水排水マット２０が支持されており、容器１２の底面１２Ａとの間に水が貯留可能な貯水部１６を形成している。
【００６６】
保水排水マット２０上には植物２２が載置されており、植物２２の土壌に浸透した水は、土壌の保水能力を超えた分が植物２２の下に設けられた保水排水マット２０に浸透する。保水排水マット２０に浸透した水は、一部が保水排水マット２０に保水され、保水排水マット２０の保水能力を超えた分が、植栽基盤支持部材１８を通過して容器１２の貯水部１６に貯留される。貯水部１６内の水が設定水位を超えると、この余剰分の水は、排水部材２６によって容器１２の外へ排出される。なお、貯水部１６内の設定水位は、緑化容器１０が載置される建物等の許容荷重や、植物２２の生育に必要な一ヶ月分の水量などから決定される。したがって、必ずしも本実施形態のように、排水部材２６の一方の端部を植栽基盤支持部材１８の下面近傍に位置させる必要はない。
【００６７】
なお、貯水部１６に貯留された水は、保水排水マット２０及び植物２２の土壌が乾燥すると、給水部材２４によって保水排水マット２０及び植物２２の土壌へ給水される。
【００６８】
このように、容器１２内に植栽基盤支持部材１８、保水排水マット２０、植物２２を設けることで、植栽基盤支持部材１８、保水排水マット２０、植物２２の土壌でも水が貯留可能となる。このため、多量の降雨があった場合には、容器１２に水が多量に貯留されるので、雨水が一度に河川や下水等に流れ込んで都市型洪水を引き起こす恐れがない。
【００６９】
また、排水部材２６で徐々に排水され、貯水部１６に残った水は、長期的に貯留される。そして、降雨の少ない時期などの植物２２の土壌が乾燥しているとき、貯水部１６に貯留された水は、給水部材２４で保水排水マット２０及び植物２２の土壌に給水される。これにより、降雨のない時期あるいは少ない時期でも、植物２２に灌水を行う必要がないので、灌水手段を省略することもできる。
【００７０】
さらに、毛細管現象によって保水排水マット２０及び植物２２に給水する構成とすることで、保水排水マット２０及び植物２２の乾湿状態に応じて貯水部１６に貯留されている水が給水されるので、保水排水マット２０への給水量をコントロールすることができる。また、従来のように、貯水部１６に多孔質礫状材等を充填して毛細管現象を起こす必要がないため、緑化容器１０が重くならない。
【００７１】
なお、本実施形態では、図２に示すように、保水排水マット２０の一部分のみを覆うような幅の給水部材２４を用いたが、植物２２に植栽されている植物の要求水量に応じて、給水部材２４の幅のサイズを変更してもよい。例えば、図３（Ａ）に示すように、保水排水マット２０の約３分の１の面積を覆う幅であったり、図３（Ｂ）に示すように、保水排水マット２０の約半分の面積を覆う幅であったり、図３（Ｃ）に示すように、保水排水マット２０全体を覆うサイズであってもよい。このように、不織布からなる給水部材２４を用いることで、不織布の種類や幅を変えるだけで時間当たりの給水量をコントロールすることができる。
【００７２】
また、本実施形態では、植栽基盤支持部材１８の上に保水排水マット２０を載置する構成で説明したが、保水排水マット２０に替えて、培土を敷き均したものを用いることもできる。このとき、植栽基盤支持部材１８の上に不織布のフィルターを敷いて、その上に培土を載置することで、培土の流出が防止できる。
【００７３】
次に、本発明の第２の実施形態に係る緑化容器３０について説明する。なお、第１の実施形態と同様の部分についての説明は割愛する。
【００７４】
図４に示すように、容器１２の側壁１２Ｂには、所定水位（植栽基盤支持部材１８の下面近傍）に水抜孔３２が設けられている。これにより、貯水部１６に貯留された水の水位が上昇して、この所定水位に到達すると、水抜孔３２から容器１２の外側へ排水されるようになっている。
【００７５】
このように、貯水部１６の余剰分の水を排水するために、他の部材を必要としないので、部材点数が少なくて済む。また、この水抜孔３２の数を調整することで、貯水部１６に貯留された水の排水速度をコントロールすることができる。
【００７６】
なお、本実施形態では、容器１２の側壁１２Ｂに１個だけ設ける構成としたが、貯水部１６に貯留される水量（容器１２の容積）に応じて、複数の水抜孔３２を設けてもよい。また、水抜孔３２の個数を増やさずに、水抜孔３２の径を大きくしてもよい。
【００７７】
さらに、本実施形態では、容器１２内に植物２２が収容される構成としたが、図５に示すように、容器１２内には保水排水マット２０までを収納して、植物２２は容器１２の外へ出るようにしてもよい。これにより、複数の緑化容器を敷き詰めたとき、隣接する緑化容器の植物２２の根を絡ませることができるので、緑化容器の安定性が図れる。
【００７８】
次に、本発明の第３の実施形態に係る緑化容器６０について説明する。
【００７９】
図６に示すように、緑化容器６０は、上面が開口し、水が貯留される貯留空間６３を有する略直方体状の容器６２を備えている。そして、容器６２内へ流れ込んだ水は、容器６２の貯留空間６３で長期的に貯留される。
【００８０】
容器６２の上には、容器６２の底面６２Ａのサイズよりも若干大きいサイズの金網６８が載置されている。金網６８は、容器６２の側壁６２Ｂに支持されており、金網６８によって容器６２は閉塞された状態となっている。
【００８１】
金網６８の上には、金網６８とほぼ同サイズの保水排水マット７０が載置されている。つまり、保水排水マット７０は、金網６８によって容器６２上に支持された状態で配置されている。保水排水マット７０は排水層及び保水層が交互に積層されて形成されており、保水機能を有すると同時に排水機能を有している。これにより、保水排水マット７０に給水された水は、一部が保水排水マット７０の保水層で保水され、一部（保水層で保水しきれなかった分）が排水層を介して排水されるようになっている。この保水排水マット７０上には、保水排水マット７０とほぼ同サイズの植物７２が載置されている。
【００８２】
植物７２と保水排水マット７０の間には、給水部材７４が設けられている。給水部材７４は長尺状の不織布で構成されており、略中央部が保水排水マット７０の上面に掛け渡され、両端部が保水排水マット７０の側面に沿って下方に垂下して、容器６２内に位置している。
【００８３】
これにより、給水部材７４の両端部は、容器６２に貯留されている水に浸されていて、毛細管現象で給水部材７４全体に水が行き渡るようになっている。そして、給水部材７４の略中央部で、保水排水マット７０及び植物７２の土壌に給水される。
【００８４】
また、容器６２の側壁６２Ｂには、帯状の不織布からなる排水部材７６が掛け渡されている。排水部材７６の一方の端部は底面６２Ａ近傍に位置しており、他方の端部は容器６２の側壁６４Ｂの外側に沿って垂下して、金網近傍の所定水位に位置している。
【００８５】
これにより、容器６２内に容器６２（貯留空間６３）の貯留量限界（所定水位）まで水が貯留されているとき、排水部材７６の毛細管現象によって容器６２の外側（地面）に排水されるようになっている。
【００８６】
次に、本発明の第３の実施形態の作用について説明する。
【００８７】
容器６２には水が貯留される貯留空間６３が設けられており、容器６２の上に載置された保水排水マット７０及び植物７２の土壌に浸透した水は、土壌の保水能力を超えた分が保水排水マット７０に浸透する。そして、保水排水マット７０の保水能力を超えた分が、金網６８を通過して、容器６２の貯留空間６３で長期的に貯留される。
【００８８】
貯留空間６３に貯留された水は、給水部材７４の毛細管現象によって上昇して保水排水マット７０に給水される。また、容器６２の貯留空間６３に貯留された水が所定水位を超えると、排水部材７６によって容器６２の外へ所定量排水される。
【００８９】
このように、容器６２の貯留空間６３によって水が貯留されるようになっているため、多量の降雨があった場合でも、雨水が一度に河川や下水等に流れ込んで都市型洪水を引き起こす恐れがない。
【００９０】
また、貯留空間６３に貯留された水は、保水排水マット７０が乾燥すると、給水部材７４の毛細管現象によって保水排水マット７０へ給水され、保水排水マット７０に載置された植物７２に給水が行われるため、降雨のない時期でも植物７２に灌水を行う必要がない。
【００９１】
さらに、毛細管現象によって保水排水マット７０に給水する構成とすることで、保水排水マット７０（保水排水マット７０に載置された植物７２）の乾湿状態に応じて、保水排水マット７０に容器６２の貯留空間６３に貯留されている水が給水されるので、保水排水マット７０への給水量をコントロールすることができる。
【００９２】
また、容器６２の側壁６２Ｂの上部で金網６８を支持して、容器６２の開口に金網６８を掛け渡すことで、水の浸透によって保水排水マット７０の重量が重くなっても、保水排水マット７０は金網６８によって支持されるので、容器６２の開口へ落ちない。
【００９３】
次に、本発明の第４の実施形態に係る緑化容器８０について説明する。なお、第３の実施形態と同様の部分についての説明は割愛する。
【００９４】
図７に示すように、容器６２の側壁６２Ｂには、水抜孔８２が設けられている。これにより、容器６２の水位が上昇して所定水位に到達すると、余剰分の水は水抜孔８２から容器６２の外側へ排水されるようになっている。
【００９５】
このように、容器６２の余剰分の水（容器６２に残留した水）を排水するために、他の部材を必要としないので、部材点数が少なくて済む。また、この水抜孔８２の数を調整することで、容器６２に残留した水の排水速度をコントロールすることができる。
【００９６】
なお、本実施形態では、容器６２の側壁６２Ｂで金網６８を支持する構成としたが、維持管理作業時の人の体重や植物７２の重量の耐荷重性と排水性を有する部材であれば、容器６２に載置する部材は金網６８に限定されない。例えば、図８（Ａ）に示すように、プラスチックや金属からなる板状部材８４Ａに複数の孔８４Ｂが形成された有孔プラスチック板（有孔金属板）８４や、図８（Ｂ）に示すようなグレーチング８６等を用いてもよい。また、図８（Ｃ）に示すように、パンチングプレート８８Ａに複数の脚部８８Ｂを設けた支持部材８８を容器６２内に設ける構成としてもよい。つまり、容器６２の底面６２Ａで脚部８８Ｂを介してパンチングプレート８８Ａを支持する構成とすることで、容器６２に対して支持部材８８がずれてしまうことがないので、支持部材８８上の保水排水マット７０及び植物７２が安定する。
【００９７】
また、本実施形態では、容器６２の側壁６２Ｂで金網６８を支持する構成としたが、図９に示すように、容器６２の側壁６２Ｂに段部９０を形成し、この段部９０で金網６８を支持してもよい。このような構成により、容器６２内に植物２２が収容されるので、複数の緑化容器を敷き詰めたとき、隣接する緑化容器の植物２２の根が絡まることがない。
【００９８】
次に、本発明の第５の実施形態に係る緑化容器９２について説明する。なお、第４の実施形態と同様の部分についての説明は割愛する。
【００９９】
図１０に示すように、容器９６の各角部には、容器９６の上面から段部９８にかけて、扇状の張出部９２が設けられている。この張出部９２には余剰排水孔９４が形成されており、水が余剰排水孔９２から金網６８を介して容器９６内に流れ込むようになっている。
【０１００】
このような構成により、時間当たりの降雨が多く、雨水が植物７２の土壌に浸透する前に緑化容器の外側へ流れてしまう場合でも、この雨水は余剰排水孔９４から容器９６内に急速に流れ込み、容器９６内に貯留される。したがって、雨水が一度に河川や下水等に流れ込んでしまう恐れがない。
【０１０１】
なお、本実施形態では、余剰排水孔９４を容器９６に一体に設ける構成としたが、図１１に示すように、容器１５０とは別に余剰排水孔１５４が形成されたパイプ１５２を、容器１５０の角部で且つ金網６８上にセットして、保水排水マット７０及び植物７２と容器１５０とで、パイプ１５２を挟むようにしてもよい。このとき、パイプ１５２の上面は、植物７２の上面とほぼ同一面か、植物７２の上面よりも下側に位置するように配置する。これにより、植物７２の土壌に浸透せずに土壌表面を流れ落ちた雨水は、パイプ１５２の余剰排水孔１５４から容器１５０内に流れ込む。
【０１０２】
また、図１２（Ａ）に示すように、容器１５０の内縁全域に渡って、余剰排水孔１５６が形成された枠体１５８を配置してもよい。これにより、時間当たりの降雨が非常に多い場合でも、雨水が複数の余剰排水孔１５６から一気に容器１５０内に流れ込む。したがって、雨水は容器１５０内に貯留されて、一度に河川や下水等に流れ込んでしまう恐れがない。さらに、緑化容器を載置する面が傾斜している場合には、図１２（Ｂ）に示すように、傾斜の下流側に位置する容器１５０の一片にのみ、余剰排水孔１６０が形成されたパイプ１６２を配置してもよい。つまり、水が流れ落ちる側にのみパイプ１６２を配置することで、無駄にパイプ１６２を配置する必要がなくなり、材料費の節約に繋がる。
【図面の簡単な説明】
【０１０３】
【図１】第１の実施形態に係る緑化容器を示す断面図である。
【図２】第１の実施形態に係る緑化容器の製造工程を示す図である。
【図３】緑化容器に用いられる給水部材の他の形態を示す斜視図である。
【図４】第２の実施形態に係る緑化容器を示す断面図である。
【図５】その他の形態の緑化容器の部分断面図である。
【図６】第３の実施形態に係る緑化容器を示す断面図である。
【図７】第４の実施形態に係る緑化容器を示す断面図である。
【図８】他の実施形態の緑化容器に用いられる植栽部支持層を示す斜視図である。
【図９】その他の形態の緑化容器の部分断面図である。
【図１０】（Ａ）は第５の実施形態に係る緑化容器を示す部分斜視図であり、（Ｂ）は部分断面図である。
【図１１】（Ａ）はその他の形態の緑化容器の分解斜視図であり、（Ｂ）は部分斜視図である。
【図１２】（Ａ）、（Ｂ）共にその他の形態の緑化容器の部分斜視図である。
【符号の説明】
【０１０４】
１０   緑化容器
１２  容器（貯水容器）
１８  植栽基盤支持部材（一時貯留層）
２０  保水排水マット又は培土（保水排水層）
２２  植物（植栽部）
２４  給水部材（給水部材）
２６  排水部材（排水手段）
３０  緑化容器
３２  水抜孔（排水手段）
６０  緑化容器
６２  容器（貯水容器）
６８  金網（植栽部支持層）
７０  保水排水マット又は培土（保水排水層）
７２  植物（植栽部）
７４  給水部材（給水部材）
７６  排水部材（排水手段）
８２  水抜孔（排水手段）
９０  段部
９４  余剰排水孔（誘導部）
１５４  余剰排水孔（誘導部）
１５６  余剰排水孔（誘導部）
【図１】
2007167039.tif 000003
【図２】
2007167039.tif 000004
【図３】
2007167039.tif 000005
【図４】
2007167039.tif 000006
【図５】
2007167039.tif 000007
【図６】
2007167039.tif 000008
【図７】
2007167039.tif 000009
【図８】
2007167039.tif 000010
【図９】
2007167039.tif 000011
【図１０】
2007167039.tif 000012
【図１１】
2007167039.tif 000013
【図１２】
2007167039.tif 000014